(57)【特許請求の範囲】
【請求項１】
框材による框組の間または内部に鏡板を配してなる框扉において鏡板を保持するために框材端面の嵌合溝に嵌着して使用される鏡板保持部材であって、鏡板の端縁部が嵌入される溝部を挟んで対向する一対の側部と底部とを有して硬質樹脂から断面略コの字形に形成される本体と、本体の底部から溝開口に向けて突出するように設けられる軟質樹脂からなる突条と、一対の側部の各内面における端面側領域に設けられる軟質樹脂からなる係止片と、一対の側部の各外面における端面側領域に形成される鋸歯状の係止部とを有し、係止片は鏡板の端縁部の表裏面に対向する面が連続して平坦な面であることを特徴とする鏡板保持部材。
【請求項２】
側部端面および側部端面から鏡板の厚さ寸法の少なくとも７５％に相当する深さまで側部内面に框材表面の色に近似する色で着色が施されていることを特徴とする、請求項１記載の鏡板保持部材。
【請求項３】
請求項１または２記載の鏡板保持部材が、前記係止部により框材端面の嵌合溝の溝内面に係止された状態で嵌着されると共に、前記本体の溝部に透光板からなる鏡板の端縁部が嵌入され、該嵌入状態において、鏡板は、その端縁部の両側面が前記係止片の間に挟持され、且つ、その端面が前記突条に当接することを特徴とする框扉。
【発明の詳細な説明】
【技術分野】
【０００１】
本発明は、框材による框組の間または内部に鏡板を配してなる框扉に関し、より詳しくは、框扉において鏡板を保持するために框材端面の嵌合溝に嵌着される鏡板保持部材に関する。本発明は、鏡板としてガラスなどの透光性を有する板（透光板）が用いられる場合に特に有用である。
【背景技術】
【０００２】
框扉において鏡板としてガラス板などの透光板が用いられる場合、框材端面に形成した嵌合溝に鏡板の端縁部を直接嵌入することに代えて、嵌合溝に断面略コの字形に形成された軟質樹脂製の鏡板保持部材を嵌め込み、この鏡板保持部材に鏡板の端縁部を嵌入して保持することが行われている（特許文献１，２）。このようにすることにより、ガラス板などの鏡板を良好に保持すると共に、框扉の開閉時などに振動でびびり音が発生することを防止することができる。
【先行技術文献】
【特許文献】
【０００３】
【特許文献１】特開２００２−２０１８６７号公報
【特許文献２】特開２００４−２５１０２９号公報
【発明の概要】
【発明が解決しようとする課題】
【０００４】
しかしながら、特許文献１，２に示されるような従来技術によると、鏡板保持部材がゴムなどの軟質樹脂で形成されているため、これを框材の嵌合溝に嵌入しようとする際、および、これに鏡板を嵌入しようとする際の摩擦が大きく、これらの嵌入作業が困難になる。
【０００５】
また、特許文献２では、框２の溝部２１に溝深さの途中まで挿入したガラス板保持材３に、ガラス板１の端縁部を挿入して、さらにそのまま押し込むことにより、ガラス板保持材３の横片部３２を溝部２１の内部に引き込んで、これらの間にガラス板１を保持するようにしている（段落０００９，図１など）が、このようにしてガラス板保持材３およびガラス板１を装着した状態では、図１上図に示されるように、溝部２１の開口部において、框２とガラス板１との間に、横片部３２の厚みに相当する幅の隙間が形成されることになり、また、ガラス板１を通して、化粧シートが設けられない溝部２１の内面が観察されるため、見栄えが悪くなる。特許文献１の図１４に示される状態も同様である。
【０００６】
また、特許文献１の図１１に示されるように、パッキン６（鏡板保持部材）が縦框２の溝２ａの内面を開口縁まで覆うように嵌着される場合は、上記のような隙間が形成されることはないが、ゴムなどの軟質材料で形成されるパッキン６の先端部が露出し、溝２ａの内部にあるパッキン６の部分もガラス板５を通して露見される。したがって、木質材で形成され且つ化粧シートが貼着される框材とは質感や色が大きく異なるパッキン６が観察されるため、見栄えが悪くなる。
【０００７】
したがって、本発明が解決しようとする課題は、框扉において鏡板として透光板が用いられる場合であっても、透光板を通して框材の嵌合溝内面や鏡板保持部材が観察されることによる見栄えの低下を防止しながら、鏡板保持部材を框材の嵌合溝に嵌入する際や鏡板保持部材に鏡板の端縁部を嵌入する際の作業性を良好にし、且つ、嵌入後の不慮の抜け落ちを防止することである。
【課題を解決するための手段】
【０００８】
この課題を解決するため、本願の請求項１に係る発明は、框材による框組の間または内部に鏡板を配してなる框扉において鏡板を保持するために框材端面の嵌合溝に嵌着して使用される鏡板保持部材であって、鏡板の端縁部が嵌入される溝部を挟んで対向する一対の側部と底部とを有して硬質樹脂から断面略コの字形に形成される本体と、本体の底部から溝開口に向けて突出するように設けられる軟質樹脂からなる突条と、一対の側部の各内面における端面側領域に設けられる軟質樹脂からなる係止片と、一対の側部の各外面における端面側領域に形成される鋸歯状の係止部とを有し、係止片は鏡板の端縁部の表裏面に対向する面が連続して平坦な面であることを特徴とする。
【０００９】
本願の請求項２に係る発明は、請求項１記載の鏡板保持部材において、側部端面および側部端面から鏡板の厚さ寸法の少なくとも７５％に相当する深さまで側部内面に框材表面の色に近似する色で着色が施されていることを特徴とする。
【００１０】
本願の請求項３に係る発明は、請求項１または２記載の鏡板保持部材が、前記係止部により框材端面の嵌合溝の溝内面に係止された状態で嵌着されると共に、前記本体の溝部に透光板からなる鏡板の端縁部が嵌入され、該嵌入状態において、鏡板は、その端縁部の両側面が前記係止片の間に挟持され、且つ、その端面が前記突条に当接することを特徴とする框扉である。
【発明の効果】
【００１１】
本願の請求項１に係る発明によれば、鏡板保持部材は、硬質樹脂で形成される本体と、それぞれ軟質樹脂で形成される底部の突条および側部内面の係止片とを有する。本体が硬質樹脂で形成されるので、樹脂成形直後の形状を維持することができ、ロットによる形状のばらつきが少なくなり、不良品の発生を抑えることができる。また、鏡板や框材と密接させても過度の摩擦が生じないので、框材の嵌合溝や鏡板の端縁部の形状・寸法に合致するように形成することにより、上記形状維持性とも相俟って、鏡板保持部材の溝部に鏡板の端縁部を嵌入させる作業および鏡板保持部材を框材の嵌合溝に嵌入させる作業を容易に行うことができる。本体の側部外面に形成される係止部は、嵌合溝に嵌入した鏡板保持部材のがたつきや抜け落ちを防止する効果を発揮するが、係止部は外面における端面側領域のみに形成されるので、鏡板保持部材を框材の嵌合溝に嵌入させる際の作業性を低下させない。また、本体の側部内面に設けられる軟質樹脂による係止片は、鏡板保持部材の溝部に嵌入した鏡板をしっかり保持することにより、がたつき（振動）およびこれによる異音（びびり音）の発生を防止すると共に、抜け落ちを防止する効果を発揮するが、係止片は内面における端面側領域のみに設けられるので、鏡板保持部材の溝部に鏡板の端縁部を嵌入させる際の作業性を低下させない。
【００１２】
また、鏡板保持部材の底部に軟質樹脂からなる突条が設けられているので、溝部に鏡板の端縁部を嵌入させた状態の鏡板保持部材を框材の嵌合溝に嵌入させるときに、突条がクッションとなって、框材の嵌合溝底面から鏡板に伝わる衝撃を緩和し、鏡板の破損を防止することができる。
【００１３】
本願の請求項２に係る発明によれば、上記効果に加えて、側部端面および側部端面から鏡板の厚さ寸法の少なくとも７５％の範囲に相当する深さまで側部内面に框材表面の色に近似する色で着色が施されているので、框材の端面に露出する鏡板保持部材の側部端面だけでなく、透光板からなる鏡板を通して外部から見える鏡板保持部材の側部内面が、化粧シートの色に近似した色を有するものとして観察されることになり、違和感がなく良好な見栄えを与えることができる。無垢材などからなる框材に化粧シートを貼着せずに用いる場合は、その材色や塗装色に近似した色で着色することにより、同様に見栄えを良好にすることができる。
【００１４】
本願の請求項３に係る発明によれば、上記したように、見栄えが良好で且つ作業性にも優れた框扉を提供することができる。
【図面の簡単な説明】
【００１５】
【図１】本発明の一実施形態による鏡板保持部材を用いた框扉の正面図である。
【図２】図１中Ａ−Ａ断面図である。
【図３】図１中Ｂ−Ｂ断面図である。
【図４】この框扉における框材、鏡板および鏡板保持部材の嵌合状態を示す斜視図である。
【図５】図４の要部拡大図である。
【図６】鏡板保持部材の正面図である。
【図７】鏡板保持部材の斜視図である。
【図８】本発明の他実施形態による鏡板保持部材の正面図である。
【図９】本発明の他実施形態による鏡板保持部材の正面図である。
【発明を実施するための最良の形態】
【００１６】
図１ないし図７を参照して、本発明の一実施形態による鏡板保持部材２０について詳細に説明する。この鏡板保持部材２０は、左右縦框１１ａ，１１ａおよび上下横框１１ｂ，１１ｂ（以下、これらを総称して「框材１１」とする。）による框組に、ガラス板などの透光板からなる鏡板１２が配されてなる框扉１０（図１）において用いられるものである。以下においては、左右縦框１１ａ，１１ａの端面に形成される嵌合溝１６（図２〜図４）に鏡板１２の左右端縁部を嵌入して鏡板１２を保持する鏡板保持部材２０について説明するが、上下横框１１ｂ，１１ｂの端面に形成される嵌合溝に鏡板１２の上下端縁部を嵌入して鏡板１２を保持する鏡板保持部材も、同様の構成および作用を有するものであり、これについては図示および説明を省略する。
【００１７】
この実施形態で用いる框材１１は、図２に示すように、芯材１３の表裏に木質繊維板（この実施例ではＭＤＦ）からなる表裏面材１４，１４を設けてなるフラッシュ構造を有し、表裏面材１４，１４には化粧シート１５，１５が貼着され、且つ、框材１１の端面に現れる芯材１３の板面および表裏面材１４，１４の木口面を連続して被覆する縁材１７が設けられ、框材端面から縁材１７を貫通して芯材１３に向けて嵌合溝１６が形成されている。
【００１８】
さらに図６および図７を参照して、鏡板保持部材２０は、鏡板１２の端縁部が嵌入される溝部２１を挟んで対向する一対の側部２２，２２と、これら側部２２，２２同士を溝部２１の溝底で連結する底部２３とを有するものとして断面略コの字形に形成され、対応する框材（この場合は縦框１１ａ）の嵌合溝１６の略全長に亘って延長する長尺の本体２４を有する。本体２４は、ＡＢＳなどの硬質樹脂で形成される。本体２４は、側部２２，２２の各外面における端面側の所定領域に亘って係止部２５が形成される。この実施形態では、上記領域において、側部２２，２２の各外面に、本体２４の全長に亘る凹溝を微小間隔で形成することにより、鋸歯状の係止部２５としている。なお、鏡板保持部材２０を嵌合溝１６に嵌入しやすくするために、側部２２，２２と底部２３との角部外面は曲面状に面取りされている。
【００１９】
本体２４の側部２２，２２の各内面には、端面側の所定領域に亘って係止片２６が設けられ、また、本体２４の底部２３には、溝開口に向けて突出する突条２７が設けられている。係止片２６および突条２７は、いずれも軟質樹脂（エラストマー）で形成され、本体２４の略全長に亘って延長している。この実施形態では、端面側の所定領域に亘る幅を有する単一の係止片２６が各側部内面に設けられると共に、溝部２１の溝幅略中央に断面略半円状の単一の突条２７が設けられている。
【００２０】
図２ないし図５に示されるように、鏡板保持部材２０は、嵌合溝１６に嵌入された状態で框材１１に取り付けられ、また、その溝部２１に鏡板１２の端縁部を嵌入させることにより鏡板１２を保持する。したがって、鏡板保持部材２０の外形状および外形寸法は、嵌合溝１６の形状および寸法と略同一であり、その溝部の形状および寸法は、鏡板１２の端縁部の形状および寸法と略同一である。具体的な一例として、框材１１に形成される嵌合溝１６の溝深さが１２．０ｍｍ、溝幅が６．０ｍｍである場合に使用される鏡板保持部材２０は、嵌合溝１６の溝深さより若干短い長さ（高さ）＝１１．５ｍｍを有し、横幅は嵌合溝１６の溝幅と同じ６．０ｍｍである。係止部２５は、鏡板保持部材２０の側部２２の外面において、側部２２の外面の高さ（１１．５ｍｍ）の約半分に亘る端面側領域に形成されている。
【００２１】
鏡板保持部材２０の溝部２１は、溝深さ（＝側部２２の内面の高さ）が１１．０ｍｍ、溝幅が３．６ｍｍであり、側部２２の内面の高さ（１１．０ｍｍ）の端面側約半分の領域に、厚さ０．２ｍｍの軟質樹脂係止片２６が設けられ、また、底部２３上の幅方向中央に、厚さ０．５ｍｍ、幅２．０ｍｍの断面略半円状の軟質樹脂突条２７が設けられている。この実施形態で用いられる鏡板１２の厚さは、溝部２１の溝幅（３．６ｍｍ）より若干大きい４．０ｍｍであるので、この鏡板１２の端縁部を鏡板保持部材２０の溝部２１に嵌入していくと、軟質樹脂による係止片２６，２６を圧縮させながら、また、硬質樹脂で形成される本体２４の側部２２，２２を僅かに外側に撓ませながら、溝部２１内に進入し、最終的に得られる状態（図２〜図５）では、鏡板１２の端縁部が係止片２６，２６の間に弾性的に強固に保持されることになる。
【００２２】
図２〜図５から明らかなように、鏡板保持部材２０が框材１１の嵌合溝１６に嵌合された状態において、その本体２４の側部２２の端面２２ａが、框材１１の端面に露出することになる。これにより、框材１１を構成する木質材と本体２４を構成する硬質樹脂との質感や材色の相違が観察されてしまうことを防ぐために、図示されていないが、該端面２２ａに着色を施しておくことが好ましい。また、鏡板１２がガラス板などの透光板である場合、框扉１０の正面左右方向から斜めに見たときに、鏡板１２を通して、鏡板保持部材２０の側部２２の内面における端面側領域に設けられた軟質樹脂による係止片２６が透視されることになり、同様に、質感や材色の相違が観察されてしまう。したがって、これを防止するために、図示されていないが、側部端面２２ａから所定範囲に亘る領域（係止片２６の表面の全部または一部を含む）にも、着色を施しておくことが好ましい。これらの着色は、框材１１の表裏面に貼着される化粧シート１５，１５の色に近似した色で行うことが好ましい。このようにすると、框材１１の全体を化粧シート１５に同調した外観に化粧することができるので、好ましい実施形態となる。
【００２３】
出願人は、鏡板保持部材２０の本体側部２２の内面を着色すべき範囲について実験と考察を行った。鏡板１２にガラス板などの透光板が用いられる場合、鏡板１２の端縁部が鏡板保持部材２０の溝部２１に嵌入されている部分を斜め方向（図２において左上から右下方向、または、右下から左上方向）に目視すると、側部２２の内面（係止片２６）における端部２２ａ側の領域が、鏡板１２を通して見えることになる。この見える範囲を、鏡板１２の厚さを変えながら測定したところ、表１に示す結果が得られた。
【００２４】
【表１】
0006746111.tif 000002
【００２５】
表１に示す結果から明らかなように、鏡板１２の厚さが４ｍｍのときは鏡板保持部材２０の側部端面２２ａから３．０ｍｍの深さまで側部内面が見え、鏡板１２の厚さが６ｍｍのときは鏡板保持部材２０の側部端面２２ａから４．５ｍｍの深さまで側部内面が見え、鏡板１２の厚さが６ｍｍのときは鏡板保持部材２０の側部端面２２ａから６．０ｍｍの深さまで側部内面が見え、それより深い部分の側部内面は、斜め方向から覗き込むようにしても見えなかった。したがって、側部端面２２ａから、鏡板１２の厚さの７５％に相当する深さまで、側部内面を化粧シート１６の色と近似する色に着色すれば、化粧が施されない側部内面（または係止片２６の表面）が見えてしまうことによる美観の低下を防ぐことができることが確認された。
【００２６】
本発明は、上記実施形態に限定されることなく、特許請求の範囲に記載された発明の範囲内において多種多様の変形ないし変更が可能である。たとえば、図１に示す框扉１０は、左右縦框１１ａ，１１ａおよび上下横框１１ｂ，１１ｂで四方框組みされた中に鏡板１２を配した構成であるが、框扉１０における框組は任意であり、たとえば、上下横框が省略され、左右縦框１１ａ，１１ａのみで框組みされた間に鏡板１２を配した構成の框扉１０において、左右縦框１１ａ，１１ａの端面に形成した嵌合溝１６に鏡板１２の端縁部を保持するための鏡板保持部材として既述の鏡板保持部材２０を用いても良いし、框組の内部に桟材を配して桟組みした場合において該桟材に鏡板１２の端縁部を保持するための鏡板保持部材として既述の鏡板保持部材２０を用いても良い。
【００２７】
また、側部２２の各外面に形成される係止部２５について、上記実施形態では、鋸歯状の係止部２５が形成されているが、溝部２１に嵌入された鏡板１２の端縁部をしっかり保持して抜け止めすることができるものであれば、その形状や構成は限定されない。たとえば、図８に示すように、適宜間隔を置いて形成される２つ（またはより多数）の突条状の係止部２５としても良い。
【００２８】
また、側部２２の各内面に設けられる係止片２６について、上記実施形態では、端面側の所定領域に亘る幅を有する単一の係止片２６が設けられているが、框材１１の嵌合溝１６に嵌入された鏡板保持部材２０をしっかり保持して抜け止めすることができるものであれば、その形状や構成は限定されない。たとえば、図９に示すように、適宜間隔を置いて設けられる２つ（またはより多数）の係止片２６としても良い。
【００２９】
また、上記実施形態では、框材１１の芯材１３に合板を用いることを前提として、その表裏にＭＤＦからなる表裏面材１４，１４を設けると共に、これらの表面に化粧シート１５，１５を貼着して意匠性を高めていることから、これに同調させるために、鏡板保持部材２０の側部端面２２ａ，２２ａおよび係止部材２６，２６に、化粧シート１５，１５の色に近似した色の着色を施しているが、芯材１３に無垢材などを用いる場合、その本来の木質感・高級感をそのまま表現するために、表裏面材１４，１４および化粧シート１５，１５を省略して框材１１とされることがある。このような場合には、鏡板保持部材２０の側部端面２２ａ，２２ａおよび係止部材２６，２６に、芯材１３を形成する無垢材の材色（または塗装が施される場合はその塗装色）に近似した色で着色することが好ましい。
【符号の説明】
【００３０】
１０  框扉
１１  框材
１１ａ  左右縦框
１１ｂ  上下横框
１２  鏡板
１３  芯材
１４  表裏面材
１５  化粧シート
１６  嵌合溝
１７  縁材
２０  鏡板保持部材
２１  溝部
２２  側部
２２ａ  端面
２３  底部
２４  本体
２５  係止部
２６  係止片
２７  突条
【図１】
0006746111.tif 000003
【図２】
0006746111.tif 000004
【図３】
0006746111.tif 000005
【図４】
0006746111.tif 000006
【図５】
0006746111.tif 000007
【図６】
0006746111.tif 000008
【図７】
0006746111.tif 000009
【図８】
0006746111.tif 000010
【図９】
0006746111.tif 000011